(57)【要約】【課題】任意の端末装置との良好な無線接続を行うアクセスポイント装置の設置位置の選定を可能とする。【解決手段】端末装置が無線接続するアクセスポイント装置において、前記アクセスポイント装置に前記端末装置が前記無線接続するプロセスに基づく応答時間の測定を行うカウント手段と、前記アクセスポイント装置の第１の位置での第１の前記応答時間と前記第１の位置情報とを記録する記録手段と、前記第１の応答時間と第２の位置での第２の前記応答時間との比較を行い、前記第２の応答時間が前記第１の応答時間よりも短い場合、前記記録手段に記録された前記第１の応答時間と前記第１の位置情報とを前記第２の応答時間と前記第２の位置情報とで更新する、制御手段と、を備えたアクセスポイント装置である。【選択図】      図１
2015109561.tif 000002
【特許請求の範囲】
【請求項１】
端末装置が無線接続するアクセスポイント装置において、
前記アクセスポイント装置に前記端末装置が前記無線接続するプロセスに基づく応答時間の測定を行うカウント手段と、
前記アクセスポイント装置の第１の位置での第１の前記応答時間と前記第１の位置情報とを記録する記録手段と、
前記第１の応答時間と第２の位置での第２の前記応答時間との比較を行い、
前記第２の応答時間が前記第１の応答時間よりも短い場合、前記記録手段に記録された前記第１の応答時間と前記第１の位置情報とを前記第２の応答時間と前記第２の位置情報とで更新する、制御手段と、
を備えたアクセスポイント装置。
【請求項２】
前記第２の応答時間が前記第１の応答時間よりも短い場合、通知を行う、請求項１記載のアクセスポイント装置。
【請求項３】
前記第２の応答時間が前記第１の応答時間よりも長い場合、通知を行う、請求項１記載のアクセスポイント装置。
【請求項４】
前記応答時間の最も短い前記位置を設置位置とする、請求項１から３の内の１項記載のアクセスポイント装置。
【請求項５】
前記応答時間の測定を複数回繰り返した平均値を前記応答時間とする、請求項１から４の内の１項記載のアクセスポイント装置。
【請求項６】
前記端末装置は複数台であり、前記端末装置ごとに前記応答時間を測定し、前記端末装置ごとの前記応答時間の平均値を前記応答時間とする、請求項１から５の内の１項記載のアクセスポイント装置。
【請求項７】
アクセスポイント装置と、前記アクセスポイント装置に無線接続する端末装置とを有し、
前記アクセスポイント装置は、
前記アクセスポイント装置に前記端末装置が前記無線接続するプロセスに基づく応答時間の測定を行うカウント手段と、
前記アクセスポイント装置の第１の位置での第１の前記応答時間と前記第１の位置情報とを記録する記録手段と、
前記第１の応答時間と第２の位置での第２の前記応答時間との比較を行い、
前記第２の応答時間が前記第１の応答時間よりも短い場合、前記記録手段に記録された前記第１の応答時間と前記第１の位置情報とを前記第２の応答時間と前記第２の位置情報とで更新する、制御手段と、を備えた、
アクセスポイント選定システム。
【請求項８】
前記応答時間の最も短い前記位置を設置位置とする、請求項７記載のアクセスポイント選定システム。
【請求項９】
アクセスポイント装置に端末装置が無線接続するプロセスに基づく応答時間の測定を行い、
前記アクセスポイント装置の第１の位置での第１の前記応答時間と前記第１の位置情報とを記録し、
前記第１の応答時間と第２の位置での第２の前記応答時間との比較を行い、
前記第２の応答時間が前記第１の応答時間よりも短い場合、前記第１の応答時間と前記第１の位置情報とを前記第２の応答時間と前記第２の位置情報とで更新する、
アクセスポイント選定方法。
【請求項１０】
前記応答時間の最も短い前記位置を設置位置とする、請求項９記載のアクセスポイント選定方法。
【発明の詳細な説明】
【技術分野】
【０００１】
本発明は、無線ＬＡＮシステムなどにおけるアクセスポイント装置の設置位置を選定する技術に関する。
【背景技術】
【０００２】
無線によるローカルエリアネットワーク（Ｌｏｃａｌ  Ａｒｅａ  Ｎｅｔｗｏｒｋ、ＬＡＮと略す）の普及が拡大し、電波が混み合う環境が増している。このような環境にあって、無線ＬＡＮシステムなどの無線通信におけるアクセスポイント装置の適切な設置位置の選定は、通信の品質を低下させないために重要である。特許文献１には、アクセスポイント装置に対してユーザ端末が無線通信を行おうとする場合、良好な通信を可能とするユーザ端末の設置位置をユーザに知らせる技術が開示されている。
【０００３】
特許文献１によれば、アクセスポイント装置に対して、ユーザ端末の位置を複数段階で設定し、それぞれ設定された位置で試験的通信を行って通信品質を測定する。さらに、それぞれの測定結果に基づいて、ユーザ端末の位置に対応付けて通信品質評価結果をユーザ端末に出力することで、ユーザ端末の適切な設置位置を選定することができる。
【先行技術文献】
【特許文献】
【０００４】
【特許文献１】特開２０００−２８６７７６号公報
【発明の概要】
【発明が解決しようとする課題】
【０００５】
しかしながら、特許文献１の技術は、以下の課題を有していた。すなわち、アクセスポイント装置には、通信品質を測定するための通信品質測定用データを発生するための追加機能を設ける必要があった。また、ユーザ端末には、通信品質を測定するための通信品質測定機能や、測定結果を出力するための通信品質評価結果出力機能などの、追加機能を設ける必要があった。そのため、前記の追加機能を有しない任意のユーザ端末を当該アクセスポイント装置に無線接続することはできなかった。
【０００６】
本発明は、上記の課題に鑑みてなされたものであり、その目的は、利用者が、任意の端末装置との良好な無線接続を行うアクセスポイント装置の設置位置を選定することのできる、アクセスポイント装置、アクセスポイント選定システムおよびその選定方法を実現することである。
【課題を解決するための手段】
【０００７】
本発明によるアクセスポイント装置は、端末装置が無線接続するアクセスポイント装置において、前記アクセスポイント装置に前記端末装置が前記無線接続するプロセスに基づく応答時間の測定を行うカウント手段と、前記アクセスポイント装置の第１の位置での第１の前記応答時間と前記第１の位置情報とを記録する記録手段と、前記第１の応答時間と第２の位置での第２の前記応答時間との比較を行い、前記第２の応答時間が前記第１の応答時間よりも短い場合、前記記録手段に記録された前記第１の応答時間と前記第１の位置情報とを前記第２の応答時間と前記第２の位置情報とで更新する、制御手段と、を備えたアクセスポイント装置である。
【０００８】
本発明によるアクセスポイント選定システムは、アクセスポイント装置と、前記アクセスポイント装置に無線接続する端末装置とを有し、前記アクセスポイント装置は、前記アクセスポイント装置に前記端末装置が前記無線接続するプロセスに基づく応答時間の測定を行うカウント手段と、前記アクセスポイント装置の第１の位置での第１の前記応答時間と前記第１の位置情報とを記録する記録手段と、前記第１の応答時間と第２の位置での第２の前記応答時間との比較を行い、前記第２の応答時間が前記第１の応答時間よりも短い場合、前記記録手段に記録された前記第１の応答時間と前記第１の位置情報とを前記第２の応答時間と前記第２の位置情報とで更新する、制御手段と、を備えたアクセスポイント選定システムである。
【０００９】
本発明によるアクセスポイント選定方法は、アクセスポイント装置に端末装置が無線接続するプロセスに基づく応答時間の測定を行い、前記アクセスポイント装置の第１の位置での第１の前記応答時間と前記第１の位置情報とを記録し、前記第１の応答時間と第２の位置での第２の前記応答時間との比較を行い、前記第２の応答時間が前記第１の応答時間よりも短い場合、前記第１の応答時間と前記第１の位置情報とを前記第２の応答時間と前記第２の位置情報とで更新する、アクセスポイント選定方法である。
【発明の効果】
【００１０】
本発明によれば、利用者が、任意の端末装置との良好な無線接続を行うアクセスポイント装置の設置位置を選定することのできる、アクセスポイント装置、アクセスポイント選定システムおよびその選定方法が実現する。
【図面の簡単な説明】
【００１１】
【図１】本発明の第１の実施形態のアクセスポイント装置とアクセスポイント選定システムの構成を示すブロック図である。
【図２】本発明の第１の実施形態のアクセスポイント探索システムの応答時間を説明する図である。
【図３】本発明の第１の実施形態のアクセスポイント選定方法を示すフローチャートである。
【図４】本発明の第１の実施形態のアクセスポイント選定方法の応答時間の測定を示すフローチャートである。
【図５】本発明の第１の実施形態のアクセスポイント選定方法を示すフローチャートである。
【図６】本発明の第２の実施形態のアクセスポイント選定システムの動作を示すフローチャートである。
【発明を実施するための形態】
【００１２】
以下、図を参照しながら、本発明の実施形態を詳細に説明する。但し、以下に述べる実施形態には、本発明を実施するために技術的に好ましい限定がされているが、発明の範囲を以下に限定するものではない。
（第１の実施形態）
（構成の説明）
図１は、本発明の実施形態のアクセスポイント装置とアクセスポイント選定システムの構成を示すブロック図である。本実施形態では、無線ＬＡＮによる通信システムに本発明を適用した場合について説明する。本実施形態のアクセスポイント選定システム１０は、無線ＬＡＮによる通信を行う、アクセスポイント装置２０と端末装置３０とを備える。アクセスポイント装置２０は、外部のネットワークとの通信を行う有線通信伝送路４０に接続する。端末装置３０は、利用者が操作するパソコンやプリンタなどの機器である。
【００１３】
アクセスポイント装置２０は、以下の各部を有する。探索スイッチ２１は、端末装置３０との通信品質の良好な設置位置であるアクセスポイントを探索する動作を開始するスイッチである。通知部２２は、発光ダイオード（Ｌｉｇｈｔ  Ｅｍｉｔｔｉｎｇ  Ｄｉｏｄｅ、ＬＥＤと略す）や音声などにより通信品質の情報を利用者に通知する。制御部２３は、アクセスポイント装置２０の各部の制御や、アクセスポイント装置２０と端末装置３０との通信接続や通信品質の評価を行う。通信部２４は、有線通信伝送路４０との有線通信や端末装置３０との無線通信を行う。記録部２５は、位置情報や通信品質情報を記録するメモリを有する。カウント部２６は、後述の応答時間などの測定を行う。
【００１４】
端末装置３０は、通信部３２の動作を制御する制御部３１、アクセスポイント装置２０との無線通信を行う通信部３２、を備える。
【００１５】
なお、上記以外にもアクセスポイント装置や端末装置としての動作を行うために必要な構成要素がそれぞれ存在するが、ここでは、本発明の実施形態を説明するために必要な構成要素のみを図示し、その他の構成要素についての図示および説明は省略する。
【００１６】
アクセスポイント選定システム１０は、図２に示す応答時間の長さによって通信品質を判定する。図２は、アクセスポイント選定システム１０が評価する応答時間について説明する図である。
【００１７】
図２によれば、アクセスポイント装置２０に端末装置３０が帰属した状態、すなわち、アクセスポイント装置２０に端末装置３０が接続し無線通信を行える状態で、探索スイッチ２１をＯＮとすることでアクセスポイントを選定する動作を開始する。
【００１８】
探索スイッチ２１がＯＮとされると、まず、アクセスポイント装置２０の制御部２３は、通信部２４から認証解除の通知を端末装置３０に送信する。端末装置３０の通信部３２が認証解除の通知を受信すると、制御部３１によってアクセスポイント装置２０への帰属が解除される。帰属が解除されると、端末装置３０の制御部３１は、再び接続するための動作を開始する。
【００１９】
端末装置３０がアクセスポイント装置２０に接続するための動作は、端末装置３０の電源がＯＦＦからＯＮに移行した時にも行われる。よって、アクセスポイント装置２０に端末装置３０が帰属した状態で探索スイッチ２１がＯＮとする場合と同様に、端末装置３０の電源がＯＦＦからＯＮに移行し帰属が確立していない状態で探索スイッチ２１をＯＮとして、アクセスポイントを選定する動作を開始することもできる。
【００２０】
端末装置３０は、アクセスポイント装置２０に接続するために、アクセスポイント装置２０に対してプローブ要求、認証要求、接続要求を順次送信する。アクセスポイント装置２０はこれらの要求を順次受信すると、端末装置３０に対して、図２のように順次プローブ応答、肯定応答、接続応答を送信する。端末装置３０は接続応答を受信すると、アクセスポイント装置２０に対して最終の肯定応答を送信する。アクセスポイント装置２０がこの最終の肯定応答を受信すると、接続するための動作は完了する。以上は通常の無線ＬＡＮシステムにおける接続のプロセスである。
【００２１】
このとき、アクセスポイント装置２０は、接続応答を送信し最終の肯定応答を受信するまでの応答時間を測定し、この応答時間を通信品質に対応させる。すなわち、応答時間が短ければ短いほど通信品質が良いという判定を行う。応答時間は、カウント部２６に備えられたタイマーによって測定することができる。
【００２２】
応答時間が測定されると、以前の応答時間が記録部２５に記録されていない場合、すなわち、今回の応答時間の測定が１回目の測定の場合、記録部２５に、今回の応答時間とこれに対応するアクセスポイント装置２０の位置情報とを記録する。次いで、アクセスポイント装置２０の位置を変更し、変更された位置での応答時間の測定を行う。
【００２３】
以前の応答時間が記録部２５に記録されている場合、今回の応答時間と以前の応答時間との比較を行い、今回の応答時間が以前の応答時間よりも短い場合、通知部２２であるＬＥＤを点灯させて、今回の位置がより好適であることを利用者に通知する。さらに、記録部２５にて、今回の応答時間とこれに対応するアクセスポイント装置２０の位置情報とで、以前の応答時間と位置情報との記録を更新する。
【００２４】
今回の応答時間が以前の応答時間と同等もしくはより長くなった場合、通知部２２であるＬＥＤは消灯とする。さらに、記録部２５において、今回の応答時間とこれに対応する位置情報とでの、以前の応答時間と位置情報との記録の更新は行わない。
【００２５】
応答時間の測定は、利用者が探索スイッチ２１をＯＦＦにしてアクセスポイントを探索する動作を終了するまで、アクセスポイント装置２０の位置を変えて繰り返すことができる。応答時間の測定が終了した段階で、最も応答時間が短い位置が、測定を行った範囲で最も良好な通信が行える位置に相当する。すなわち、この位置をアクセスポイント装置２０の設置位置、すなわち、アクセスポイントと選定することができる。
【００２６】
なお、利用者は、応答時間の測定を繰り返す中で、最後にＬＥＤが点灯した位置、すなわち、最も通信状態の良い位置にテープなどで目印を付けておくことで、アクセスポイントを確認することができる。
（動作の説明）
図３は、本実施形態のアクセスポイント装置２０ならびにアクセスポイント選定システム１０によるアクセスポイント選定方法を示すフローチャートである。図３を用いて、アクセスポイント選定方法の説明を行う。
【００２７】
アクセスポイント装置２０に端末装置３０が帰属した状態で、利用者が探索スイッチ２１をＯＮとして、アクセスポイント装置２０の設置位置、すなわち、アクセスポイントの探索を開始するとする。
【００２８】
ステップＳ１０１では、アクセスポイント装置２０の制御部２３は、現在のアクセスポイント装置２０の位置において、図２で説明した応答時間の測定を行う。応答時間の測定のフローチャートは後述する。応答時間の測定が終了すると、ステップＳ１０２に進む。
【００２９】
ステップＳ１０２では、制御部２３は、以前の応答時間とこれに対応した位置情報とが記録部２５に存在するか否かを確認する。存在する場合（ＹＥＳ）、ステップＳ１０３に進む。存在しない場合（ＮＯ）、ステップＳ１０５に進む。
【００３０】
ステップＳ１０３では、制御部２３は、今回測定された応答時間が、記録部２５に存在する以前の応答時間よりも短いか否かを確認する。短い場合（ＹＥＳ）、ステップＳ１０４に進む。短くない場合（ＮＯ）、ステップＳ１０６に進む。
【００３１】
ステップＳ１０４では、制御部２３は、通知部２２であるＬＥＤを点灯させることによって、今回測定した位置が以前測定した位置より通信品質が向上し、好適な通信を行える位置であることを利用者に通知し、ステップＳ１０５に進む。
【００３２】
ステップＳ１０５では、制御部２３は、記録部２５にて、今回の応答時間とこれに対応するアクセスポイント装置２０の位置情報とで、以前の応答時間と位置情報の記録を更新する。なお、今回が最初の測定である場合（ステップＳ１０２がＮＯの場合）、記録部２５に、今回の応答時間とこれに対応する位置情報とを記録する。
【００３３】
ステップＳ１０６では、制御部２３は、今回の応答時間が以前の応答時間と同等もしくはより長い場合であるため、通知部２２であるＬＥＤは消灯とする。
【００３４】
ステップＳ１０７では、制御部２３は、探索スイッチ２１がＯＦＦか否かを確認する。なお、探索スイッチ２１は、利用者が任意の時点でＯＦＦすることができる。探索スイッチ２１がＯＦＦされると、ステップＳ１０７でＯＦＦが確認される。ＯＦＦの場合（ＹＥＳ）、終了とする。ＯＦＦでない場合（ＮＯ）、ステップＳ１０１に戻る。このとき、利用者はアクセスポイント装置２０の位置を変更する。ステップＳ１０１に戻ると、上記の動作を繰り返す。
【００３５】
利用者が探索スイッチ２１をＯＦＦとするまで、アクセスポイント装置２０の位置を変えて、図３のフローチャートの動作を繰り返すことができる。図３のフローチャートが終了した段階で、最も応答時間が短かった位置が、測定を行った範囲において最も良好な通信が行える位置である。すなわち、この位置をアクセスポイントと選定することができる。
【００３６】
次に、ステップＳ１０１の応答時間の測定について説明を行う。図４は、応答時間の測定の動作を示すフローチャートである。アクセスポイント装置２０に端末装置３０が帰属した状態で、利用者が探索スイッチ２１をＯＮとすることで、アクセスポイントを探索する動作が開始され、応答時間の測定が開始されるとする。
【００３７】
ステップＳ２０１では、制御部２３は、通信部２４から認証解除の通知を端末装置３０に送信する。端末装置３０の通信部３２が認証解除の通知を受信すると、制御部３１によってアクセスポイント装置２０への端末装置３０の帰属が解除され、アクセスポイント装置２０と端末装置３０との接続は解除される。接続が解除されると、端末装置３０の制御部３１は、再接続するための動作を開始する。そして、制御部３１は通信部２４を介して、アクセスポイント装置２０にプローブ要求を送信する。
【００３８】
ステップＳ２０２では、制御部２３は、端末装置３０からのプローブ要求を受信したか否かを確認する。受信した場合（ＹＥＳ）、ステップＳ２０３に進む。受信していない場合（ＮＯ）、ステップＳ２０２の確認を繰り返す。
【００３９】
ステップＳ２０３では、制御部２３は、通信部２４を介して端末装置３０へプローブ応答を送信し、ステップＳ２０４に進む。端末装置３０はプローブ応答を受信すると、アクセスポイント装置２０に認証要求を送信する。
【００４０】
ステップＳ２０４では、制御部２３は、端末装置３０からの認証要求を受信したか否かを確認する。受信した場合（ＹＥＳ）、ステップＳ２０５に進む。受信していない場合（ＮＯ）、ステップＳ２０４の確認を繰り返す。
【００４１】
ステップＳ２０５では、制御部２３は、通信部２４を介して端末装置３０へ認証応答を送信し、ステップＳ２０６に進む。端末装置３０は認証応答を受信すると、アクセスポイント装置２０に接続要求を送信する。
【００４２】
ステップＳ２０６では、制御部２３は、端末装置３０からの接続要求を受信したか否かを確認する。受信した場合（ＹＥＳ）、ステップＳ２０７に進む。受信していない場合（ＮＯ）、ステップＳ２０６の確認を繰り返す。
【００４３】
ステップＳ２０７では、制御部２３は、通信部２４を介して端末装置３０へ接続応答を送信し、ステップＳ２０８に進む。
【００４４】
ステップＳ２０８では、制御部２３は、ステップＳ２０７の実行を受けて、カウント部２６によって応答時間を測定する時間カウントを開始し、ステップＳ２０９に進む。
【００４５】
ステップＳ２０９では、制御部２３は、端末装置３０からの肯定応答を受信したか否かを確認する。すなわち、端末装置３０は、アクセスポイント装置２０からの接続応答を受信すると、制御部３１がアクセスポイント装置２０に対して肯定応答を送信する。ステップＳ２０９で制御部２３は、この肯定応答を受信したか否かを確認する。受信した場合（ＹＥＳ）、ステップＳ２１０に進む。受信していない場合（ＮＯ）、ステップＳ２０９の確認を繰り返す。
【００４６】
ステップＳ２１０では、制御部２３は、カウント部２６での応答時間を測定する時間カウントを終了し、応答時間を確定し終了とする。
【００４７】
以上がステップＳ１０２の応答時間の測定のフローチャートである。本実施形態では応答時間を通信品質に対応付けている。すなわち、応答時間が短いほど通信品質が高いと評価する。本実施形態の動作のフローチャートで送受信する認証解除、プローブ要求と応答、認証要求と肯定応答、接続要求と応答、肯定応答は、無線ＬＡＮシステムにおける無線接続プロセスで行われる送受信である。本実施形態ではこれらの送受信を利用することで、通信品質に対応付けた応答時間を評価することを特徴とする。すなわち、アクセスポイント装置２０や端末装置３０は、通信品質を評価するための特別な信号を発信したり、通信品質を評価するための特別な評価機能を設けたりといった、付加機能の追加を必要としない。
【００４８】
本実施形態によれば、利用者が、任意の端末装置との良好な無線接続を行うアクセスポイント装置の設置位置を選定することのできる、アクセスポイント装置、アクセスポイント選定システムおよびその選定方法が実現する。
【００４９】
本実施形態では、応答速度の測定結果にばらつきがある場合、複数回の測定を行った結果の平均値を応答速度とすることができる。
【００５０】
また、応答速度の測定の他に、アクセスポイント装置２０から端末装置３０へ固定長の信号を送信し、端末装置３０がこれを受信しアクセスポイント装置２０に受信した旨を返信し、アクセスポイント装置２０が返信を受信するという、一連の送受信プロセスを行い、当該送受信プロセスが単位時間当たりに行われる回数をカウントして通信品質に対応付けてもよい。
【００５１】
また、通知部２２のＬＥＤの動作を、点灯の有無だけの動作ではなく、点灯の種類を多様化することもできる。例えば、応答時間が前回よりも短くなった場合、青色表示、前回と同じの場合、黄色表示、前回よりも長い場合、赤色表示などである。また、通知部２２は、利用者に対してＬＥＤなどで視覚的に通知する以外にも、スピーカによる音声などで聴覚的に通知することもできる。
【００５２】
本実施形態のアクセスポイント探索システム１０は、端末装置３０が複数の場合への適用が可能である。図５は、端末装置３０が複数の場合のアクセスポイント選定方法を示すフローチャートである。図５を用いて、端末装置３０が複数の場合のアクセスポイントの選定方法の説明を行う。
【００５３】
アクセスポイント装置２０に複数の端末装置３０が帰属した状態で、利用者が探索スイッチ２１をＯＮとして、アクセスポイント装置２０の設置位置、すなわち、アクセスポイントの選定を開始するとする。
【００５４】
ステップＳ３０１では、アクセスポイント装置２０の制御部２３は、現在のアクセスポイント装置２０の位置において、複数の端末装置３０との各々の応答時間の測定を行う。すなわち、制御部２３は、図４のフローチャートによる応答時間の測定を、各々の端末装置３０に対して各々行う。応答時間の測定が終了すると、ステップＳ３０２に進む。
【００５５】
ステップＳ３０２では、制御部２３は、全ての端末装置３０との応答時間の測定が完了したか否かを確認する。完了が確認された場合（ＹＥＳ）、ステップＳ３０３に進む。完了が確認されない場合（ＮＯ）、ステップＳ３０１を繰り返す。
【００５６】
ステップＳ３０３では、制御部２３は、測定した複数の応答時間の平均値を算出し、ステップＳ３０４に進む。
【００５７】
ステップＳ３０４は、以前の応答時間の平均値とこれに対応したアクセスポイント装置２０の位置情報とが、記録部２５に存在するか否かを確認する。存在する場合（ＹＥＳ）、ステップＳ３０５に進む。存在しない場合（ＮＯ）、ステップＳ３０７に進む。
【００５８】
ステップＳ３０５では、今回測定された応答時間の平均値が、記録部２５に存在する以前の応答時間の平均値よりも短いか否かを確認する。短い場合（ＹＥＳ）、ステップＳ３０６に進む。短くない場合（ＮＯ）、ステップＳ３０８に進む。
【００５９】
ステップＳ３０６では、通知部２２であるＬＥＤを点灯させることによって、今回測定した位置が以前測定した位置より通信品質が向上し、好適な通信を行える位置であることを利用者に通知し、ステップＳ３０７に進む。
【００６０】
ステップＳ３０７では、記録部２５にて、今回の応答時間の平均値とこれに対応するアクセスポイント装置２０の位置情報とで、以前の応答時間の平均値と位置情報の記録とを更新する。なお、今回が最初の測定である場合（ステップＳ３０４がＮＯの場合）、記録部２５に、今回の応答時間の平均値とこれに対応する位置情報とを記録する。
【００６１】
ステップＳ３０８では、今回の応答時間の平均値が以前の応答時間の平均値と同等もしくはより長い場合であるため、通知部２２であるＬＥＤは消灯とする。
【００６２】
ステップＳ３０９では、探索スイッチ２１がＯＦＦか否かを確認する。ＯＦＦの場合（ＹＥＳ）、終了とする。ＯＦＦでない場合（ＮＯ）、ステップＳ３０１に戻る。このとき、利用者はアクセスポイント装置２０の位置を変更する。ステップＳ３０１に戻ると、上記の動作を繰り返す。
【００６３】
利用者が探索スイッチ２１をＯＦＦとするまで、アクセスポイント装置２０の位置を変えて図５のフローチャートの動作を繰り返すことができる。図５のフローチャートが終了した段階で、最も応答時間の平均値が短かった位置が、測定を行った範囲において最も良好な通信が行える位置である。すなわち、この位置をアクセスポイントとすることができる。
【００６４】
本実施形態によれば、利用者が、任意の端末装置との良好な無線接続を行うアクセスポイント装置の設置位置を選定することのできる、アクセスポイント装置、アクセスポイント選定システムおよびその選定方法が実現する。
（第２の実施形態）
本実施形態のアクセスポイント選定システム１０は、探索スイッチ２１が利用者によってＯＮにされなくても、所定の設定期間の経過の後に応答時間の測定を行い、現在のアクセスポイント装置２０の設置位置が、当初設置した時に比べて通信品質が劣化しているか否かの確認をすることができる。
【００６５】
図６は、本発明の第２の実施形態のアクセスポイント選定システムの動作のフローチャートを示す。本実施形態のアクセスポイント装置ならびにアクセスポイント選定システムは、図１に示すアクセスポイント装置２０ならびにアクセスポイント選定システム１０の構成を有する。図６のフローチャートは、アクセスポイント装置２０が設置された後に、自動的に設置位置での通信品質の確認を行うモードに移行するよう、アクセスポイント装置２０を設定しておくことによって開始することができる。
【００６６】
ステップＳ４０１では、予めアクセスポイント装置２０のカウント部２６に設定された設定時間が経過したか否かを確認する。設定時間は、アクセスポイント選定が実行され終了した時点からの時間とすることができるが、これには限定されない。たとえば、アクセスポイント装置２０が設置された後に、自動的に設置位置の通信品質の確認を行うモードが設定された時点からの時間とすることもできる。設定時間が経過した場合（ＹＥＳ）、ステップＳ４０２に進む。経過していない場合（ＮＯ）、ステップＳ４０１を繰り返す。
【００６７】
ステップＳ４０２では、アクセスポイント装置２０の制御部２３は、現在のアクセスポイント装置２０の位置において、応答時間の測定を行う。応答時間の測定は、図４のフローチャートで行うことができる。応答時間の測定が終了すると、ステップＳ４０３に進む。
【００６８】
ステップＳ４０３では、今回測定された応答時間と、記録部２５に記録されている、当初、アクセスポイント装置２０を設置した時の応答時間との比較を行う。今回測定された応答時間の方が記録されている応答時間よりも長い場合（ＹＥＳ）、ステップＳ４０４に進む。長くない場合（ＮＯ）、ステップＳ４０５に進む。
【００６９】
ステップＳ４０４では、通知部２２であるＬＥＤを点灯させることによって、今回の通信品質が、当初設置した時の通信品質よりも劣化していることを利用者に通知し、終了とする。
【００７０】
ステップＳ４０５では、今回の通信品質が、当初設置した時の通信品質に対して劣化していないことから、通知部２２であるＬＥＤは消灯とし、終了とする。
【００７１】
以上のフローチャートによる動作により、現在のアクセスポイント装置２０の設置位置は、当初設置した時点に比べて通信品質が劣化しているか否かの確認をすることができる。なお、図６のフローチャートによる動作は、自動的に開始されるように設定することができるのみならず、利用者が適宜、マニュアルで開始することもできる。
【００７２】
本発明は上記実施形態に限定されることなく、特許請求の範囲に記載した発明の範囲内で、種々の変形が可能であり、それらも本発明の範囲内に含まれるものであることはいうまでもない。また、上記の実施形態の一部又は全部は、以下の付記のようにも記載されうるが、以下には限られない。
【００７３】
付記
（付記１）
端末装置が無線接続するアクセスポイント装置において、
前記アクセスポイント装置に前記端末装置が前記無線接続するプロセスに基づく応答時間の測定を行うカウント手段と、
前記アクセスポイント装置の第１の位置での第１の前記応答時間と前記第１の位置情報とを記録する記録手段と、
前記第１の応答時間と第２の位置での第２の前記応答時間との比較を行い、
前記第２の応答時間が前記第１の応答時間よりも短い場合、前記記録手段に記録された前記第１の応答時間と前記第１の位置情報とを前記第２の応答時間と前記第２の位置情報とで更新する、制御手段と、
を備えたアクセスポイント装置。
（付記２）
前記第２の応答時間が前記第１の応答時間よりも短い場合、通知を行う、付記１記載のアクセスポイント装置。
（付記３）
前記第２の応答時間が前記第１の応答時間よりも長い場合、通知を行う、付記１記載のアクセスポイント装置。
（付記４）
前記応答時間の最も短い前記位置を設置位置とする、付記１から３の内の１項記載のアクセスポイント装置。
（付記５）
前記カウント手段は、前記アクセスポイント装置に前記端末装置が無線接続した状態で前記無線接続を解除し、前記端末装置が前記アクセスポイント装置に再接続するプロセスに基づく応答時間の測定を行う、付記１から４の内の１項記載のアクセスポイント装置。
（付記６）
前記通知は、視覚的にまたは聴覚的に行う、付記１から５の内の１項記載のアクセスポイント装置。
（付記７）
前記応答時間の測定を複数回繰り返した平均値を前記応答時間とする、付記１から６の内の１項記載のアクセスポイント装置。
（付記８）
前記端末装置は複数台であり、前記端末装置ごとに前記応答時間を測定し、前記端末装置ごとの前記応答時間の平均値を前記応答時間とする、付記１から７の内の１項記載のアクセスポイント装置。
（付記９）
アクセスポイント装置と、前記アクセスポイント装置に無線接続する端末装置とを有し、
前記アクセスポイント装置は、
前記アクセスポイント装置に前記端末装置が前記無線接続するプロセスに基づく応答時間の測定を行うカウント手段と、
前記アクセスポイント装置の第１の位置での第１の前記応答時間と前記第１の位置情報とを記録する記録手段と、
前記第１の応答時間と第２の位置での第２の前記応答時間との比較を行い、
前記第２の応答時間が前記第１の応答時間よりも短い場合、前記記録手段に記録された前記第１の応答時間と前記第１の位置情報とを前記第２の応答時間と前記第２の位置情報とで更新する、制御手段と、を備えた、
アクセスポイント選定システム。
（付記１０）
前記第２の応答時間が前記第１の応答時間よりも短い場合、通知を行う、付記９記載のアクセスポイント選定システム。
（付記１１）
前記第２の応答時間が前記第１の応答時間よりも長い場合、通知を行う、付記９記載のアクセスポイント選定システム。
（付記１２）
前記応答時間の最も短い前記位置を設置位置とする、付記９から１１の内の１項記載のアクセスポイント選定システム。
（付記１３）
前記カウント手段は、前記アクセスポイント装置に前記端末装置が無線接続した状態で前記無線接続を解除し、前記端末装置が前記アクセスポイント装置に再接続するプロセスに基づく応答時間の測定を行う、付記９から１２の内の１項記載のアクセスポイント選定システム。
（付記１４）
前記通知は、視覚的にまたは聴覚的に行う、付記９から１３の内の１項記載のアクセスポイント選定システム。
（付記１５）
前記応答時間の測定を複数回繰り返した平均値を前記応答時間とする、付記９から１４の内の１項記載のアクセスポイント選定システム。
（付記１６）
前記端末装置は複数台であり、前記端末装置ごとに前記応答時間を測定し、前記端末装置ごとの前記応答時間の平均値を前記応答時間とする、付記９から１５の内の１項記載のアクセスポイント選定システム。
（付記１７）
アクセスポイント装置に端末装置が無線接続するプロセスに基づく応答時間の測定を行い、
前記アクセスポイント装置の第１の位置での第１の前記応答時間と前記第１の位置情報とを記録し、
前記第１の応答時間と第２の位置での第２の前記応答時間との比較を行い、
前記第２の応答時間が前記第１の応答時間よりも短い場合、前記第１の応答時間と前記第１の位置情報とを前記第２の応答時間と前記第２の位置情報とで更新する、
アクセスポイント選定方法。
（付記１８）
前記第２の応答時間が前記第１の応答時間よりも短い場合、通知を行う、付記１７記載のアクセスポイント選定方法。
（付記１９）
前記第２の応答時間が前記第１の応答時間よりも長い場合、通知を行う、付記１７記載のアクセスポイント選定方法。
（付記２０）
前記応答時間の最も短い前記位置を設置位置とする、付記１７から１９の内の１項記載のアクセスポイント選定方法。
（付記２１）
前記応答時間の測定は、前記アクセスポイント装置に前記端末装置が無線接続した状態で前記無線接続を解除し、前記端末装置が前記アクセスポイント装置に再接続するプロセスに基づいて行う、付記１７から２０内の１項記載のアクセスポイント選定方法。
（付記２２）
前記通知は、視覚的にまたは聴覚的に行う、付記１７から２１の内の１項記載のアクセスポイント選定方法。
（付記２３）付記
前記応答時間の測定を複数回繰り返した平均値を前記応答時間とする、付記１７から２２の内の１項記載のアクセスポイント選定方法。
（付記２４）付記
前記端末装置は複数台であり、前記端末装置ごとに前記応答時間を測定し、前記端末装置ごとの前記応答時間の平均値を前記応答時間とする、付記１７から２３の内の１項記載のアクセスポイント選定方法。
【符号の説明】
【００７４】
１０    アクセスポイント選定システム
２０    アクセスポイント装置
２１    探索スイッチ
２２    通知部
２３    制御部
２４    通信部
２５    記録部
２６    カウント部
３０    端末装置
３１    制御部
３２    通信部
４０    有線通信伝送路
【図１】
2015109561.tif 000003
【図２】
2015109561.tif 000004
【図３】
2015109561.tif 000005
【図４】
2015109561.tif 000006
【図５】
2015109561.tif 000007
【図６】
2015109561.tif 000008